(57)【要約】      （修正有）【課題】マルチメディアメッセージサービス（ＭＭＳ）のようなパケットデータメッセージサービスを使用して、ボイスメールサービスを提供する。【解決手段】ボイスメールメッセージを記録するためにリアルタイム音声接続を用いることよりも、呼がボイスメールサーバーに迂回されたことを検出すると、ボイスメールメッセージは送信元移動局において記録され、マルチメディアメッセージングサービスセンター（ＭＭＳ−Ｃ）のようなパケットデータメッセージングサービスセンターを介してパケットデータメッセージで送信される。あて先装置がパケットデータメッセージングサービスを申し込むあて先移動局である場合、パケットデータメッセージはあて先移動局にセーブされる。あて先装置がサービスへのアクセスのない装置である場合、パケットデータメッセージは、あて先装置のボイスメール箱に関連した音声メールサーバー内のあて先アドレスへ転送される。【選択図】図５
2010081615.tif 000002
【特許請求の範囲】
【請求項１】
送信元移動局において実行される方法において、
あて先装置への試みられた呼がボイスメールサーバーにリダイレクトされたことを示すボイスメールアクノレジメントメッセージを受信することと、
前記送信元移動局においてボイスメールメッセージを記録することと、
前記送信元移動局からの前記ボイスメールメッセージを含むパケットデータメッセージをパケットデータメッセージングサービスセンターに送信することと、
を備えた方法。
【請求項２】
前記パケットデータメッセージはマルチメディアメッセージングサービス（ＭＭＳ）メッセージであり、前記パケットデータメッセージングサービスセンターはマルチメディアメッセージングサービスセンター（ＭＭＳ-Ｃ）である、請求項１に記載の方法。
【請求項３】
ボイスメールメッセージを記録する前にボイスメールサーバーにより受信された呼を終了することをさらに備えた、請求項１に記載の方法。
【請求項４】
前記ボイスメールサーバーにより送信された挨拶を送信元パーティに提示することをさらに備えた、請求項３に記載の方法。
【請求項５】
前記ボイスメールメッセージはオーディオメッセージを含み、前記記録することは、前記送信元移動局のメモリにオーディオ信号を記憶することを含む、請求項１に記載の方法。
【請求項６】
前記ボイスメールメッセージはビデオメッセージを含み、前記記録することは、ビデオ信号を前記送信元移動局のメモリに記憶することを含む、請求項１に記載の方法。
【請求項７】
添付ファイルとしてボイスメールメッセージを含むようにパケットデータメッセージを発生することをさらに備えた、請求項１に記載の方法。
【請求項８】
前記あて先装置はあて先移動局である、請求項７に記載の方法。
【請求項９】
前記あて先移動局のあて先アドレスを含むようにパケットデータメッセージを発生することをさらに備えた、請求項８に記載の方法。
【請求項１０】
前記あて先アドレスは、前記あて先移動局の電子メール（ｅメール）アドレスである、請求項９に記載の方法。
【請求項１１】
前記ｅメールアドレスはインターネットプロトコル（ＩＰ）フォーマットである、請求項１０に記載の方法。
【請求項１２】
メモリから前記あて先アドレスを検索することをさらに備え、前記あて先アドレスは、前記あて先移動局の電話番号に関連している、請求項９に記載の方法。
【請求項１３】
前記ボイスメールサーバーから前記あて先アドレスを受信することをさらに備えた、請求項９に記載の方法。
【請求項１４】
前記パケットデータメッセージングサービスセンターから前記あて先アドレスを受信することをさらに備えた、請求項９に記載の方法。
【請求項１５】
前記あて先装置は地上通信線電話である、請求項７に記載の方法。
【請求項１６】
前記地上線電話のあて先アドレスを含むように前記パケットデータメッセージを発生することをさらに備えた、請求項１５に記載の方法。
【請求項１７】
前記あて先アドレスは前記地上通信線電話に対応するボイスメール箱に関連する電子メール（ｅメール）アドレスである。
【請求項１８】
前記ｅメールアドレスはインターネットプロトコル（ＩＰ）フォーマットである、請求項１７に記載の方法。
【請求項１９】
前記ボイスメールサーバーから前記あて先アドレスを受信することをさらに備えた、請求項１６に記載の方法。
【請求項２０】
パケットデータメッセージングサービスセンターからあて先アドレスを受信することをさらに備えた、請求項１６に記載の方法。
【請求項２１】
送信元移動局により開始された試みられた呼がボイスメールサーバーにリダイレクトされたことを示すボイスメールアクノレジメントメッセージを送信元移動局に送信することを備えた方法。
【請求項２２】
前記ボイスメールアクノレジメントメッセージはセッション開始プロトコル（ＳＩＰ）拡張子を用いてボイスオーバーインターネットプロトコル（ＶｏＩＰ）通信リンクを介して送信される、請求項２１に記載の方法。
【請求項２３】
前記ボイスメールアクノレジメントメッセージは回路交換通信リンクを介して送信される、請求項２１に記載の方法。
【請求項２４】
前記送信元移動局は、マルチメディアメッセージングサービス（ＭＭＳ）を用いてボイスメールメッセージを提出するであろうことを示す、前記送信元移動局からの、マルチメディアメッセージングサービスにより呼び出された（ＭＭＳにより呼び出された）メッセージを受信することをさらに備えた、請求項２１に記載の方法。
【請求項２５】
ＭＭＳに呼び出されたメッセージに応答して前記送信元移動局とのセッションを終了することをさらに備えた、請求項２４に記載の方法。
【請求項２６】
送信元移動局で受信されたボイスメールアクノレジメントに応答して前記送信元移動局において記録されたボイスメールメッセージを備えたマルチメディアメッセージングサービス（ＭＭＳ）メッセージを受信することをさらに備えた、請求項２１に記載の方法。
【請求項２７】
前記あて先装置は、地上通信線電話であり、前記方法は、ボイスメールメッセージが前記地上通信線電話のために受信されたことを示す警告メッセージを供給することをさらに備えた、請求項２１に記載の方法。
【請求項２８】
前記ＭＭＳメッセージは、前記あて先装置のボイスメール箱に対応するあて先アドレスを備えた、請求項２７に記載の方法。
【請求項２９】
前記ｅメールアドレスはインターネットプロトコル（ＩＰ）フォーマットである、請求項２７に記載の方法。
【請求項３０】
地上通信線電話を介してボイスメールメッセージを再生するためにオーディオ情報を送信することをさらに備えた、請求項２６に記載の方法。
【請求項３１】
ボイスメールサーバーがあて先装置への呼を受信したことを示すボイスメールアクノレジメントメッセージを受信するように構成された受信機と、
入力装置を介して受信した入力信号をデジタルファイルに変換し、ボイスメールメッセージを記録し、ボイスメールメッセージを含むパケットデータメッセージを発生するように構成されたプロセッサーと、
前記送信元移動局からボイスメールメッセージを含む前記パケットデータメッセージをパケットデータメッセージングサービスセンターに送信するように構成された送信機と、
を備えた移動局。
【請求項３２】
前記パケットデータメッセージはマルチメディアメッセージングサービス（ＭＭＳ）メッセージであり、前記パケットデータメッセージングサービスセンターはマルチメディアメッセージングサービスセンター（ＭＭＳ−Ｃ）である、請求項３１に記載の移動局。
【請求項３３】
前記プロセッサーは前記ボイスメールメッセージを記録する前に前記ボイスメールサーバーにより受信した呼を終了するようにさらに構成される、請求項３１に記載の移動局。
【請求項３４】
前記ボイスメールサーバーにより送信された挨拶を提示するように構成された出力装置をさらに備えた、請求項３１に記載の移動局。
【請求項３５】
前記ボイスメールメッセージはオーディオ信号を含み、前記移動局はさらに前記オーディオ信号を記憶するメモリを含む、請求項３１に記載の移動局。
【請求項３６】
前記ボイスメールメッセージはビデオ信号を含み、前記移動局は前記ビデオ信号を記憶するメモリを含む、請求項３１に記載の移動局。
【請求項３７】
前記パケットデータメッセージは前記あて先装置のアドレスを含む、請求項３１に記載の移動局。
【請求項３８】
前記あて先アドレスはあて先移動局の電子メール（ｅメール）アドレスである、請求項３７に記載の移動局。
【請求項３９】
ｅメールアドレスはインターネットプロトコル（ＩＰ）フォーマットである、請求項３８に記載の移動局。
【請求項４０】
送信元移動局により開始された試みられた呼がボイスメールサーバーにリダイレクトされたことを示すボイスメールアクノレジメントメッセージを前記送信元移動局に送信するように構成されたボイスメールサーバー。
【請求項４１】
前記ボイスメールサーバーは、セッション開始プロトコル（ＳＩＰ）拡張子を用いてボイスオーバーインターネットプロトコル（ＶｏＩＰ）通信リンクを介して前記ボイスメールアクノレジメントメッセージを送信するようにさらに構成される、請求項４０に記載のボイスメールサーバー。
【請求項４２】
前記ボイスメールサーバーは、回路交換通信リンクを介して前記ボイスメールアクノレジメントメッセージを送信するようにさらに構成される、請求項４０に記載のボイスメールサーバー。
【請求項４３】
前記ボイスメールサーバーは、前記送信元移動局がマルチメディアメッセージングサービス（ＭＭＳ）を用いてボイスメールメッセージを提出するであろうことを示す、前記送信元移動局からのマルチメディアメッセージングサービスにより呼び出された（ＭＭＳにより呼び出された）メッセージを受信するようにさらに構成される、請求項４０に記載のボイスメールサーバー。
【請求項４４】
前記ボイスメールサーバーは、ＭＭＳに呼び出されたメッセージに応答して前記送信元移動局からの前記呼を終了するようにさらに構成される、請求項４０に記載のボイスメールサーバー。
【請求項４５】
前記ボイスメールサーバーは、前記送信元移動局において受信された前記ボイスメールアクノレジメントに応答して前記送信元移動局において記録されたボイスメールメッセージを含むマルチメディアメッセージサービス（ＭＭＳ）メッセージを受信するようにさらに構成される、請求項４０に記載のボイスメールサーバー。
【発明の詳細な説明】
【関連出願】
【０００１】
35U.S.C§119の下の優先権主張
この特許出願は、この出願の譲受人に譲渡され参照することによりここに明示的に組み込まれる、２００４年５月２６日に出願された、「ネットワークリソースの効率的な使用を達成するための無線ボイスメールとＭＭＳとの間の相互作用｝(Internetworking Between Wireless Voicemail and MMS to Achieve Efficient Use of Network Resources)というタイトルの米国仮出願番号６０／５７４，７５７の優先権を主張する。
【技術分野】
【０００２】
この発明は一般にボイスメールシステムに関し、特にパケットデータメッセージングシステムを介してボイスメールサービスを提供する装置、システムおよび方法に関する。
【背景技術】
【０００３】
ボイスメールシステムは、あて先パーティにより検索することができる音声メッセージを記録するために送信元パーティのための機構を提供する。典型的に、あて先パーティの電話番号に関連するボイスメール箱は、ボイスメールメッセージを記憶するために使用される。あて先パーティは、ボイスメール箱を維持するボイスメールサーバーをアクセスすることにより、および適切な識別情報およびセキュリティ情報を入力することによりメッセージを検索する。従来のボイスメールシステムにおいて、回路交換呼または仮想回路交換呼のようなリアルタイム呼は、は、ボイスメールサーバーにより維持され、一方ボイスメールメッセージはセーブされるかまたは検索される。しかしながら、通信リソースが制限された環境においては、従来のシステムは、本質的な欠点を有する。例えば、従来の無線通信システムにおいては、帯域幅と通信チャネルは、ボイスメールメッセージを検索しセーブするためにしばしば使用される価値あるリソースである。任意の特定の時刻において、１つのパーティのみがボイスメールメッセージの転送に関連しているので低い待ち時間のリアルタイム通信リンクは必要とされない。回路交換ネットワーク内の回路交換呼又はパケット交換ネットワーク内の仮想回路交換呼を用いて、ボイスメールメッセージを配信または検索することは無線リソースの非効率な使用を生じる。例えば、ＶｏＩＰ（ボイスオーバーインターネットプロトコル）のようなパケット交換ネットワークを利用したシステムにおいて、音声品質呼が仮想回路交換接続のために確立されるので、ボイスメールサブミッション(submission)または検索のためにリアルタイム呼を確立することは、リソースの非効率な使用を生じる。ボイスメール呼期間中に交換されたデータパケットは、リアルタイム呼に要求される高優先度の低い待ち時間のデータパケットとして不必要に取り扱われる。
【０００４】
それゆえ、無線通信システムにおいてボイスメールサービスを効率的に提供する装置、システム、および方法の必要性がある。
【図面の簡単な説明】
【０００５】
【図１】図１は、この発明の例示実施形態に従う通信システムのブロック図である。
【図２】図２は、第１の移動局が送信元装置であり、第２の移動局があて先装置である例示通信システムのブロック図である。
【図３】図３は、あて先装置がパケットデータメッセージングサービスを受信しない例示実施形態に従う通信システムのブロック図である。
【図４】図４はこの発明の例示実施形態に従う送信元移動局のブロック図である。
【図５】図５は、この発明の例示実施形態に従うパケットデータメッセージングサービスを用いてボイスメールサービスを提供する方法のフローチャートである。
【図６】図６は、ボイスメールサーバーで実行されるパケットデータメッセージングサービスを用いてボイスメールサービスを提供する方法のフローチャートである。
【発明を実施するための最良の形態】
【０００６】
装置、システム、および方法は、無線通信システムにおいてボイスメールサービスを効率的に提供する。ボイスメールメッセージは、マルチメディアメッセージサービス（ＭＭＳ）システムのようなパケットデータメッセージ通信システムを使用して、セーブされ検索される。無線通信システムにおいてリソースは、リアルタイム呼の期間を最小にすることにより効率的に管理される。ボイスメールメッセージは、音声品質呼に要求されるよりもより高い待ち時間のパケットデータ送信を用いて交換される。無線ユーザーによりセーブされるボイスメールメッセージは、送信元移動局において記録され、パケットデータメッセージとしてパケットデータ通信リンクを介して送信される。無線ユーザーによって検索されたボイスメールメッセージは、パケットデータ通信リンクを介してあて先移動局で受信され、移動局においてメモリに記憶される。パケットデータメッセージサービスに加入しないボイスメールクライアント、またはそうでなければパケットデータサービスを使用しないボイスメールクライアントは、ボイスメールメッセージがボイスメールサーバーにより保持されているので、一般的な技術を用いてボイスメールメッセージを検索することができる。パケットデータメッセージングシステムを採用することは、ボイスメールサービスに対して無線通信リソースの使用の効率を最大化する。例えば、パケットデータメッセージの送信の場合により大きな程度の待ち時間を許容することができるので、ボイスメールメッセージを含むパケットデータメッセージは、回路交換ネットワークにおける回路交換呼またはパケット交換ネットワークにおける仮想回路交換呼により要求されるよりもより低いＱｏＳ（サービスの質）レベルで効率的に転送することができる。それゆえ、通信リソースは、回路交換呼または仮想回路交換呼よりも高いデータ転送レートを有するチャネルを採用しながら増加した待ち時間を生じるかもしれないＱｏＳポリシーを用いて効率的に割り当てられる。
【０００７】
図１は、あて先ネットワーク１０２がボイスメールサーバー１０４を含むこの発明の例示実施形態に従う通信システム１００のブロック図である。送信元移動局１０６は、無線通信チャネル１１２を介して送信元ネットワーク１１０の基地局１０８と通信する。送信元ネットワーク１１０の少なくとも一部は、任意のセルラの、無線の、光学のシステムまたは少なくとも１つのモバイルユニット１０６を用いて信号の無線交換を容易にする他の無線システムであってよい無線通信システムを含む。適切な無線通信システムの例は、符号分割多重アクセス（ＣＤＭＡ）または移動通信のためのグローバルシステム（ＧＳＭ）規格に従って動作する携帯電話システムを含む。送信元ネットワーク１１０の無線通信システムは、無線信号を移動局１０６と交換し移動局１０６との通信を確立する１つ以上の基地局１０８を有する。基地局１０８は、周知の技術に従って移動局呼を送るリアルタイム通信ネットワークに接続される。リアルタイム通信ネットワーク１１４は、ルーティング機器および／またはスイッチング機器、通信リンク、および基地局１０８とあて先ネットワーク１０２内のボイスメールサーバー１０４との間のリアルタイム通信リンクを確立するのに適した他のインフラストラクチャーの任意の組み合わせを含む。リアルタイム通信ネットワーク１１４が回路交換ネットワークである場合、リアルタイム通信ネットワーク１１４は、モバイルスイッチングセンター（ＭＳＣ）、スイッチ、および基地局１０８とボイスメールサーバー１０４との間の専用通信リンクの確立を容易にするハードウエアとソフトウエアの中で特に送信機器を含む。しかしながら、例示実施形態において、リアルタイム通信ネットワーク１１４は、基地局１０８とボイスメールサーバー１０４との間に仮想回路交換通信リンクを確立するためにインターネットプロトコル（ＩＰ）を用いてデータパケットの交換を容易にする１つ以上のインターネットプロトコル（ＩＰ）ルーターを含むパケット交換ネットワークである。周知技術に従って、リアルタイム呼は、移動局１０６と、データパケットの送信に優先順位をつけおよび管理することにより、ボイスメールサーバー１０４のような他の装置との間にリアルタイム呼を確立することができる。リアルタイム通信ネットワーク１１４は基地局１０８を介して移動局１０６との通信をインターフェースし管理するための機器を含む。例えば、リアルタイム通信ネットワーク１１４は、場合によっては、モバイルスイッチングセンターエミュレーター（ｅＭＳＣ）を含んでいてもよい。図１におけるリアルタイム通信ネットワーク１１４を表す雲は送信元ネットワーク１１０とあて先ネットワーク１０２を重畳して示され、送信元ネットワーク１１０とあて先ネットワーク１０２内のコンポーネントがリアルタイム通信ネットワーク１１４の一部としてみなされることを例証する。さらに、リアルタイム通信ネットワーク１１４を介して通信を確立するために使用される機器とインフラストラクチャーのいくつかは、以下に述べるパケットデータメッセージングシステムにより利用されてもよい。
【０００８】
パケットデータメッセージングシステムは、パケット交換ネットワークを介してデータパケットを送信し、ボイスメールメッセージを含むメッセージを交換する。パケットデータメッセージングシステムは、ファイルまたはボイスメールメッセージのコンテンツを表す他の情報を含むデータパケットを送るための機構を提供する任意のタイプのパケットデータシステムであってよい。適切なパケットデータメッセージングシステムの一例は、添付されたオーディオファイルを有するｅメールメッセージを送ることができる電子メール（ｅメール）システムを含む。例示実施形態において、パケットデータメッセージングシステムは、適切に装備をされた移動局１０６と、ＭＭＳシステムによってサービスされる他の装置の間でテキスト、ビデオ、オーディオおよび画像ファイルの交換を容易にするマルチメディアメッセージングサービス（ＭＭＳ）システムである。他の装置は、同じ無線ネットワーク、異なる無線ネットワーク、有線ネットワークまたはコンピューターネットワークによってサービスされてもよい。パケットデータメッセージングサービスセンターは、移動局１０６で交換されたパケットデータメッセージを記憶し管理する。例示実施形態において、パケットデータメッセージサービスセンターは、移動局１０６で交換されたマルチメディアメッセージを記憶し管理するマルチメディアメッセージングサービスセンター（ＭＭＳ-Ｃ）１１６である。ＭＭＳ−Ｃ１１６はＭＭＳサーバーとＭＭＳリレー（図１に図示せず）を含む。状況次第で、他の機器、サーバー、ネットワーク、および記憶装置をＭＭＳ−Ｃ１１６に接続してもよい。例えば、一時的メッセージ記憶装置および永久メッセージ記憶装置を使用してＭＭＳメッセージを記憶してもよい。当業者は、種々のトポロジー、プロトコル、アーキテクチャー、および周知技術に適用されるこれらの開示に基づいて使用することができる通信システム１００、送信元ネットワーク１１０およびあて先ネットワーク１０２の実施を容易に認識するであろう。図１に記載されたブロックの機能および動作は、任意の数の装置、回路、またはインフラストラクチャーで実施されてもよい。２つ以上の機能ブロックは単一の装置内に統合されてもよく、任意の単一の装置で実行されるように記載された機能は、いくつかの装置を介して実施されてもよい。例えば、基地局１０８とＭＭＳ−Ｃ１１６との間の通信リンクは、基地局コントローラー（ＢＳＣ）とパケットデータアクセスゲートウエイスイッチングノード（ＰＤＳＮ）のような図１に示されない他の相異なる送信元ネットワーク１１０を含む。
【０００９】
例示実施形態において、通信システム１００は、パケット交換ネットワークを介してインターネットプロトコル（ＶｏＩＰ）技術を利用する。セッション開始プロトコル（ＳＩＰ）は、開始移動局１０６とあて先装置１１８の間でのように発呼者および被呼者の間の仮想回路交換呼の確立を容易にする。状況次第で、通信システム１００は、公衆交換電話網（ＰＳＴＮ）のような１つ以上の回路交換網を含んでいてもよい。
【００１０】
ボイスメールサーバー１０４は、挨拶およびボイスメールメッセージを記憶し、発生し、再生し、ボイスメールサービスをボイスメールクライアントに提供する。ボイスメールサーバー１０４は、リアルタイム通信ネットワーク１１４内のスイッチング機器またはルーティング機器と通信し、状況次第で、ＭＭＳ−Ｃ１１６と通信し、スイッチング機器またはルーティング機器およびＭＭＳ−Ｃ１１６を備えた同じネットワーク（１１０）内で接続されてもよいしまたは他の通信ネットワーク（１０２）内で接続されてもよい。
【００１１】
特定の状況に応じて、無線通信システムはボイスメール送信元ネットワーク１１０、ボイスメールあて先ネットワーク１０２または両方を含んでいてもよい。それゆえ、移動局１０６は、他のパーティのためのボイスメールをセーブするために使用されてもよく、または他のパーティによりセーブされたボイスメールを検索するために使用されてもよい。この場合、他のパーティの通信装置は同じ無線ネットワーク上の移動局１０６、異なる無線ネットワーク上の移動局１０６、ＰＳＴＮのような有線通信ネットワークに接続された地上通信線装置であってもよい。図１に示される例示システムにおいて、他のパーティの装置（あて先装置１１８）は、あて先ネットワーク１０２を介して送信元ネットワーク１１０に接続されるように図解される。しかしながら、状況次第で、あて先ネットワーク１０２と送信元ネットワーク１１０は、同じネットワークであってもよい。通信ネットワーク１０２、１１０は、任意の数の無線ネットワーク、有線ネットワーク、コンピューターネットワーク、インターネットネットワークまたはイントラネットネットワークを含んでいてもよい。
【００１２】
この発明の例示実施形態に従って、移動局１０６は、ボイスメールメッセージを含むＭＭＳメッセージをＭＭＳ−Ｃ１１６と交換する。移動局が送信元装置である場合、送信元パーティ（発呼者）は、送信元移動局においてあて先パーティ（被呼者）のためにボイスメールメッセージを記録する。ボイスメールメッセージは、送信元移動局のメモリに少なくとも一時的に記憶され、ＭＭＳ−Ｃ１１６を介してあて先ネットワーク１０２に送られる。あて先装置が地上通信線装置、またはＭＭＳサービスを伴わない他の装置なら、ＭＭＳメッセージはあて先装置１１８のためにボイスメールサーバー１０４に記憶される。あて先装置１１８がＭＭＳ（あて先移動局）をサポートする適切に装備された移動局である場合、ボイスメールメッセージは、ボイスメールサーバーにボイスメールメッセージを記憶することなくあて先移動局にセーブすることができる。しかしながら、例示実施形態において、あて先装置が有能なＭＭＳでないときまたはＭＭＳを受信するように構成されなかったとき、ボイスメールメッセージは、従来技術によりあて先装置１１８によるボイスメールの検索のためにボイスメールサーバー１０４に送信される。あて先移動局（１１８）のユーザーのためにセーブされたボイスメールメッセージは、ＭＭＳメッセージとしてＭＭＳ−Ｃ１１６からあて先移動局（１１８）に転送される。ＭＭＳメッセージはあて先移動局（１１８）のメモリに記憶され、ユーザーがボイスメールをアクセスすると局部的に再生される。状況次第で、ボイスメールメッセージはあて先移動局（１１８）に流してもよく、メッセージファイル全体が転送される前にボイスメールメッセージの再生を可能にする。それゆえ、記録されたボイスメールメッセージを含むＭＭＳメッセージのようなパケットデータメッセージは、ＭＭＳ通信リンクのようなパケットデータ通信リンクを介してあて先ネットワーク１０２に送信される。
【００１３】
図２は例示通信システム１００のブロック図であり、この場合、第１の移動局１０６は、送信元装置（送信元移動局２０２）であり、第２の移動局１０６はあて先装置（あて先移動局２０４）である。図２を参照して議論される例示状況において、送信元移動局２０２は送信元ネットワーク１１０を介して通信し、あて先移動局２０４は、あて先ネットワーク１０２を介して通信し、この場合送信元ネットワーク１１０とあて先ネットワーク１０２は各々ＭＭＳ−Ｃ１１６、２０８並びに少なくとも部分的にリアルタイム通信ネットワーク１１４を含むＩＰルーターを含む。上述するように、リアルタイム通信ネットワーク１１４がモバイルスイッチングセンター（ＭＳＣｓ）を含むスイッチング機器を含む。この場合リアルタイム通信ネットワーク１１４は回路交換ネットワークである。明瞭さのために、基地局１０２および他の通信機器は図２に示されない。あて先ネットワーク１０４内のボイスメールサーバー１０４は、あて先移動局２０４のようなあて先装置１１８のためのボイスメールサービスを提供する。当業者は、これらの開示および周知の技術に基づいて使用することができる種々のトポロジー、プロトコル、アーキテクチャーおよび通信ネットワーク１００の実施を容易に認識するであろう。図２に記載されたブロックの機能と動作は、任意の数の装置、回路、またはインフラストラクチャーで実施されてもよい。
【００１４】
２つ以上の機能ブロックは、単一の装置に統合されてもよく、任意の単一装置で実行されるように記載された機能は、いくつかの装置を介して実施されてもよい。例えば、ボイスメールサーバー１０４の機能性は、ＭＭＳ−Ｃ２０８内で実施されてもよい。
【００１５】
送信元移動局２０２があて先移動局２０４に電話をかけようと試み、その呼が完了できないとき、ボイスメール配信手続が行使される。周知の技術に従って、送信元移動局２０２は、リアルタイム通信ネットワーク１１４の送信元ネットワーク内の機器を介して、あて先ネットワーク２０４の通信機器に電話をかける。リアルタイム通信ネットワーク１１４は、あて先移動局２０４がビジーである、受信できない範囲内にある、応答しないまたはそうでなければ、呼を受け入れることができないことを検知する。例示実施形態において、ＶｏＩＰ機器は、ページが応答できなかったことを決定することにより、または呼転送特徴がアクティブになり呼をボイスメールに送ることを決定することによりあて先移動局２０４は利用可能でないことを検出する。これに応答して、呼は、ボイスメールサーバー１０４にリダイレクトされる。図２を参照して述べた例示パケット交換状況において、ボイスメールサーバー１０４は、ボイスメールアクノレジメントメッセージを、ＶｏＩＰシグナリングに使用されるセッション開始プロトコル（ＳＩＰ）を用いて、送信元移動局２０２に送る。回路交換ネットワークにおいて、ＭＳＣは、あて先装置の不稼働率を検出し、呼をボイスメールサーバー１０４に送り、回路交換呼は送信元移動局２０２で一時的に完了される。ボイスメール認識メッセージは、送信元移動局２０２に送られ、ボイスメールサーバー１０４が呼を受け入れたことを示す。
【００１６】
送信元移動局２０２は、ＭＭＳシステムはボイスメールメッセージを提出されるために採用されるであろうことを示すＭＭＳが呼び出したメッセージを送信することにより、ボイスメールアクノレジメントメッセージに応答する。上で説明したように、ＶｏＩＰとＳＩＰは例示実施形態で使用される。ボイスメールアクノレジメントメッセージおよびＭＭＳにより呼び出されたメッセージはＳＩＰ拡張子を用いた通信システム１００を介して送られる。それゆえ、例示実施形態において、ＭＭＳに呼び出されたメッセージはＳＩＰ拡張子を用いて運ばれ、ＶｏＩＰメディア接続は確立されないであろうことを示す。回路交換ネットワークを利用した実施形態において、ＭＭＳにより呼び出されたメッセージは、トーンシーケンス、帯域内並びに帯域外、回路交換システムにおいて利用可能なシグナリング技術を含んでいてもよい。ＭＭＳに呼び出されたメッセージを送信した後、送信元移動局２０２は、リアルタイム呼を終了し、ＭＭＳを用いてボイスメールメッセージを提出し続ける。送信元移動局がＭＭＳにより呼び出されたメッセージを送信しないなら、ボイスメール配信手続は周知の技術に従って続き、送信元パーティがあて先パーティのためにボイスメールサーバー１０４においてメッセージを記録することを可能にする。
【００１７】
状況次第で、あて先移動局２０４に関連する挨拶メッセージはボイスメールサーバー１０４に記憶される。例示実施形態において、挨拶メッセージは、あて先移動局２０２へのＭＭＳメッセージにおいてＭＭＳシステムを介してボイスメールサーバーにより提出される。ボイスメールサーバー１０４は、送信元移動局２０２のアドレス指定情報を使用するMMSメッセージ、および挨拶メッセージを含むファイルを生成する。挨拶メッセージファイルは任意のいくつかのフォーマットを有していてもよいけれども、挨拶メッセージファイルは、例示実施形態において送信元移動局２０２により使用されるボコーダーに従ってフォーマットされてもよい。ＣＤＭＡシステムにおいて適切なボコーダーフォーマットの一例はエンハンストバリアブルレートコーダー（ＥＶＲＣ）を含む。挨拶ファイルを含むＭＭＳメッセージは、ＭＭＳシステムを介して送られ、発呼者への送信元移動局２０２においてセーブされ再生される。
【００１８】
通信システム１００が回路交換ネットワークを含む場合、他の機構を使用して挨拶メッセージを発呼者に提示してもよい。１つの技術はボイスメールサーバー１０４からの送信者ＩＤ情報をＭＭＳ−Ｃ２０８に送りアドレス指定情報を供給することを含む。ＭＭＳ挨拶メッセージは、発呼者ＩＤ番号に関連する送信元アドレスに基づいてＭＭＳ−Ｃ２０８において発生される。場合によっては、挨拶メッセージは、ボイスメールサーバー１０４を用いたリアルタイム呼の終了前に仮想回路交換呼または回路交換呼を介してボイスメールサーバー１０４により再生されてもよい。
【００１９】
送信元移動局２０２は、マイクロフォンおよび／またはカメラを介したビデオ信号を介してオーディオ信号を捕捉することによりボイスメールメッセージを記録し、信号のデジタル表示をメモリに記憶する。適切なオーディオフォーマットの例はＷＡＶファイル、ＥＶＲＣファイルおよびＡＭＲファイルを含む。ビデオファイルまたはマルチメディアファイルを記憶する適切なフォーマットの一例は、ＭＰＥＧ４フォーマットを含む。当業者は、オーディオファイル、ビデオファイル、およびマルチメディアファイルを記憶し送信するために使用することができる種々の他のフォーマットを認識するであろう。
【００２０】
ボイスメールメッセージファイルの適切な処理の後で、送信元移動局２０２は、あて先モバイルアドレスを用いてあて先移動局２０４にアドレスされるＭＭＳメッセージを発生する。適切なあて先アドレスの例は、ｅメールアドレスまたはインターネットプロトコル（ＩＰ）を用いて送ることが可能な任意のアドレスを含む。例実施形態において、呼はＶｏＩＰ呼であるので、あて先移動局２０４のためのアドレス指定情報は仮想回路交換呼（ＶｏＩＰ呼）のセッション開始の時刻に確立される。従って、インターネットで送ることができるアドレス指定情報は送信元移動局２０２またはＳＩＰシグナリングコントローラーのようなネットワークレジデントプロキシ装置を介して利用可能であり、送信元移動局２０２からあて先移動局２０４への任意ＭＭＳメッセージは、送信元ＶｏＩＰ呼に使用されるあて先アドレスを用いて送ることができる。しかしながら、呼が回路交換呼である場合、送信元移動局２０２から送信されたＭＭＳメッセージは、あて先移動局２０４に関連していなければならない。回路交換システムにおいてアドレス指定情報を確立する適切な方法の一例は、電話番号マッピング（ＥＮＵＭ）または他の適切な機構のようなアドレス変換データベースを用いて送信元移動局２０２とボイスメールサーバー１０４との間の回路交換呼の期間に帯域内または帯域外シグナリングを介してあて先電話番号に関連するあて先アドレスをあて先移動局２０２に送ることを含む。場合によっては、あて先アドレスは、送信元移動局２０２に記憶してもよく、あて先移動局２０４の電話番号に関連していてもよい。例えば、ｅメールアドレスのようなインターネットで送ることができるあて先アドレスは、送信元移動局２０２のアドレスブックに記憶されてもよい。
【００２１】
あて先移動局２０２は、ボイスメールメッセージを表すファイルまたは他のデータを含むマルチメディアメッセージングサービス（ＭＭＳ）メッセージを発生する。
【００２２】
例示実施形態において、ＭＭＳメッセージは添付されたデジタルファイルとしてボイスメールメッセージを含み、あて先移動局のあて先アドレスを含む。ＭＭＳメッセージは、周知のＭＭＳ技術に従ってＭＭＳ−Ｃ１１６に送られ、通信システムを介してあて先ネットワーク１０２のＭＭＳ−Ｃ２０８に送られる。一般に、ＭＭＳメッセージは、あて先アドレスに基づいてＭＭＳ−Ｃ  ２０８内のマルチメディアサーバーに送られ、ＭＭＳ−Ｃ  ２０８においてメモリに記憶される。
【００２３】
ＭＭＳ−Ｃ２０８内のＭＭＳサーバーはあて先移動局２０４内にボイスメールメッセージをセーブする。例えば、ＭＭＳ技術に従って、ＭＭＳ−Ｃ  ２０８はＭＭＳメッセージのコンテンツを記憶し、ローカルデータファイルへのダイナミックに生成されたＵＲＬリンクとして利用可能にする。例示実施形態において、ボイスメールメッセージを表わすＷＡＶオーディオファイルのようなデータファイルは、ＭＭＳメッセージに関連している。あて先移動局２０４にオーディオファイルをセーブすることができない場合、メッセージが到着しておりダウンロードが利用可能であることを示す通知があて先移動局２０４に送信される。あて先移動局２０４の特定の構成に応じて、ＭＭＳメッセージは、ユーザーを介在してまたはユーザーの介在なしに検索してもよい。状況次第で、メッセージはあて先移動局２０４に流れてもよく、全体のファイルがあて先移動局２０４のメモリに転送される前にボイスメールメッセージを再生することができる。
【００２４】
種々のプロトコル、シグナリングスキーム、およびフォーマットを使用して、ＭＭＳメッセージをあて先移動局２０４にセーブすることができるけれども、例示実施形態において確立されたＭＭＳ技術が使用される。例えば、ＭＭＳ−Ｃ２０８は、ショートメッセージサービス（ＳＭＳ）を介して無線アプリケーションプロトコル（ＷＡＰ）「Ｐｕｓｈ」手続を用いてＭＭＳ通知メッセージを発生しあて先移動局２０４に送信する。ＭＭＳ通知メッセージは、ボイスメールメッセージを表わすオーディオファイルを含む、ダイナミックに生成されたＭＭＳメッセージへのＵＲＬポインターを含む。ＭＭＳ通知メッセージを受け取った後に、移動局は、ＴＣＰ／ＩＰネットワーク接続性を提供するデータ接続を開始する。あて先移動局２０４はＨＴＴＰ（またはＷＳＰ）「ｇｅｔ」手続を実行しＭＭＳ−ＣからＭＭＳメッセージを検索する。例示実施形態において、ＭＭＳメッセージは、モバイル通信システムにおいて利用される任意のいくつかのプロトコルを用いて送信される。適切なプロトコルの例はＭ−ＩＭＡＰ、ＯＭＡ−ＭＭＩ、およびＳＩＰベースのＭＭＩを含む。さらに、ＩＭＡＰとＰＯＰのようなｅメールプロトコルは状況次第で使用することができる。
【００２５】
例示実施形態において、ボイスメールメッセージがボイスメールサーバー１０４で受信された後に、警告メッセージがあて先移動局２０４に送信される。ボイスメールメッセージがボイスメールサーバー１０４で入手可能であることを警告メッセージはあて先移動局２０４に通知する。警告メッセージは、ボイスメールメッセージの通知と回復を可能にする。この場合、エラーはＭＭＳメッセージとともに生じた。警告メッセージは周知の技術およびプロトコルに従ってあて先移動局２０４に送信される。あて先移動局２０４を警告する適切な方法の一例は、ショートメッセージサービス（ＳＭＳ）メッセージを用いた警告メッセージを送信することを含む。
【００２６】
先の議論は、ＭＭＳのようなパケットデータメッセージサービスを予約する送信元装置によって音声メール提出に集中する。しかしながら、例示実施形態において、あて先移動局２０４を使用してボイスメールサーバー１０４に記憶されるボイスメールメッセージを検索することができる。そのような状況は、ボイスメールサーバー１０４が一般的な技術を使用して送信元パーティにより残されたボイスメールメッセージを記録する場合、またはＭＭＳメッセージがあて先装置２０４にセーブできず、代わりにボイスメールサーバー１０４に記憶するために送られた場合に、起こるかもしれない。他の状況は、ボイスメールボックスに関連するボイスメール加入者のためのメッセージを残すためにボイスメールシステムを介して送信元パーティが直接あて先ボイスメールボックスをアクセスする場合起こるかもしれない。
【００２７】
送信元装置がＭＭＳに準拠した装置でなく、あて先移動局２０４への呼を完了しようと試みており、あて先移動局２０４はビジー状態、受信できない範囲外、または利用できない状況において、呼は、ボイスメールサーバー１０４にリダイレクトされる。送信元装置がボイスメールサーバーを備えた呼を確立した後で、ボイスメールサーバー１０４は挨拶を再生してもよく、記録が開始されたビープ音のようなインジケーターを供給してもよい。記録されたメッセージは音声メールサーバー１０４に記憶される。
【００２８】
ボイスメールメッセージは適切なインターフェースおよびプロトコルを使用してＭＭＳサーバーに送られます。例示実施形態では、ボイスメールメッセージは単純メール転送プロトコル（ＳＭＴＰ）を使用して、ファイルとして送信される。ＳＭＴＰは、ＳＭＴＰメッセージが適切なＭＭＳサーバーおよびあて先移動局２０４に送られることを可能にするあて先アドレスフィールドを含む。例示実施形態において、ボイスメールサーバー１０４は、電話番号を、ＭＭＳサービスを有する移動局のｅメールアドレスと関連づけるアドレス相関テーブルを含む。場合によっては、ドメイン名をＩＰアドレスに変換するのにドメイン名サーバー（ＤＮＳ）を必要とするかもしれない。周知の技術に従って、ボイスメールメッセージを含むメッセージは、通信システム１００を介してＭＭＳサーバーに送られ、サービスをあて先移動局２０４に供給する。
【００２９】
ＭＭＳ−Ｃ２０８は、ボイスメールメッセージをあて先移動局２０４にセーブする。ＭＭＳ−Ｃ２０８は、ボイスメールメッセージを表すファイルまたは他のデータを含めるためにＭＭＳメッセージを発生する。ヘッダー情報と添付されたボイスメールファイルを含むＭＭＳメッセージはＭＭＳサーバーのメモリに記憶される。ＭＭＳ技術に従って、ＭＭＳ−Ｃ２０８は、ＭＭＳメッセージのコンテンツを記憶し、それをダイナミックに生成されたＵＲＬリンクとして利用可能にする。例示実施形態において、ボイスメールメッセージを表わすＷＡＶオーディオファイルのようなデータファイルは、ＭＭＳメッセージに関連する。メッセージが到着し、ダウンロードのために利用可能であることを示す通知があて先移動局２０４に送信される。状況次第で、ＭＭＳメッセージのセーブは、新しいメッセージ通知を構成する。あて先移動局２０４の特定の構成に応じて、ＭＭＳメッセージは、ユーザーが介在してまたはユーザーの介在なしで検索してもよい。上に議論されるように、メッセージはあて先移動局２０４に流れてもよく、ファイル全体があて先移動局２０４のメモリに転送される前にボイスメールメッセージが再生されることを可能にする。
【００３０】
それゆえ、ボイスメールメッセージは、パケットデータメッセージングサービスにアクセスする送信元装置（２０２）から直接にまたはボイスメールサーバー１０４からあて先移動局２０４に送ってもよい。ＭＭＳに準拠した送信元装置（２０２）に集中して上で述べた例示実施形態において、メッセージを送信元移動局２０２に記録し、ボイスメールメッセージを含むＭＭＳメッセージを添付されたファイルとして発生し、あて先移動局２０３のあて先アドレスに基づいてあて先移動局２０４にメッセージを送ることにより、ＭＭＳシステムを用いてボイスメールメッセージが提出される。あて先移動局２０４への添付された呼がボイスメールサーバー１０４にリダイレクトされた後で、送信元移動局２０２は、ボイスメールサーバー１０４が呼を受け取ったことを示すボイスメールアクノレジメントを受信する。送信元移動局２０２とボイスメールサーバー１０４との間の呼は終了され、ボイスメールメッセージは、送信元移動局２０４により記録される。ＭＭＳメッセージは、あて先移動局２０４のあて先アドレスに基づいて、ボイスメールメッセージファイルとヘッダー情報を含むＭＭＳメッセージが発生される。以下にさらに詳細に述べるように、あて先装置がパケットデータメッセージングサービスを受信できない状況において、送信元移動局２０２は、パケットデータメッセージングシステムを用いてボイスメールメッセージを提出してもよい。従って、相対的に高い待ち時間、あるいはリアルタイムの低い待ち時間回路交換呼または仮想回路交換呼への高データレートパケットデータリンクを利用する利点は、送信元装置、あて先装置、または両方がＭＭＳのようなパケットデータメッセージングシステムを用いてメッセージを交換することができる。
【００３１】
図３は、あて先装置３０２がＭＭＳサービスを受信しない例示実施形態に従う通信システム１００のブロック図である。あて先装置３０２は、図３を参照して述べた例示実施形態の地上通信線電話であり、リアルタイム通信ネットワーク１１４の一部であるＰＳＴＮスイッチまたはＰＢＸ（プライベートブランチイクスチェンジ）スイッチ３０４のような通話スイッチ３０４を介して通信システム１００に接続される。
【００３２】
あて先装置３０２がビジーであるまたはそうでなければ利用可能でないことを通話スイッチ３０４が検出するとき、通話スイッチ３０４はあて先装置３０２にかけられた呼を送信元移動局２０２によりボイスメールサーバー１０４にリダイレクトする。呼を受信した後に、ボイスメールサーバー１０４は、ボイスメールサーバー１０４が呼を受信したことを示すボイスメールアクノレジメント信号を送信元移動局２０２に送信する。例示実施形態において、ボイスメールサーバー１０４は、あて先装置３０２のボイスメールボックスに相当するあて先アドレスを送信し、ＳＩＰ拡張子は、あて先アドレスとボイスメールアクノレジメントを送信するための機構を提供する。上で述べたように、あて先アドレスおよびアクノレジメントは、回路交換システム内における帯域内または帯域外シグナリングを用いて送信されてもよい。
【００３３】
例示実施形態において、挨拶が送信元移動局２０２を介して再生された後、送信元移動局２０２は、ボイスメールサーバー１０４とのセッションを終了する。状況次第で、送信元移動局２０２は、ボイスメールアクノレジメントを受信した直後にその呼を終了してもよい。そのような状況において、ボイスメールサーバー１０４は、発呼パーティのための挨拶を再生する送信元移動局２０２にＭＭＳ挨拶メッセージを送る。
【００３４】
送信元移動局２０２は図２を参照して上で述べた技術に従ってボイスメールメッセージを記録する。あて先アドレスを使用して、送信元移動局２０２は、ボイスメールメッセージを含むＭＭＳメッセージを、ＭＭＳシステムを介してボイスメールサーバー１０４に送る。メッセージはＭＭＳ−Ｃ  １１６を介してボイスメールサーバー１０４内のあて先アドレスに送られる。ボイスメールサーバー１０４は、あて先装置３０２のボイスメール箱に関連するロケーションに添付されたボイスメールファイルを記憶し、メッセージ待ち光、独特のダイアルトーン、または他の通知機構を起動するあて先装置３０２にボイスメール通知を送信する。あて先パーティは周知の技術に従ってボイスメールサーバーをアクセスすることによりボイスメールメッセージを検索する。記憶されたボイスメールメッセージのフォーマットに応じて、ボイスメールサーバー１０４は、あて先パーティのためのメッセージを再生する前にボイスメールメッセージを変換する必要があるかもしれない。
【００３５】
図４はこの発明の例示実施形態に従う送信元移動局２０２のブロック図である。送信機４１０および受信機４１２を含むトランシーバー４０２は、無線信号を基地局１０８と交換し、音声、データ、ビデオ、グラフィックおよびオーディオを含む情報を交換する。プロセッサー４０４は、送信元移動局２０２の種々の機能の実行を容易にし、並びに移動局２０２の全体の機能性を容易にする。プロセッサー４０４は、マイクロプロセッサー、コンピューター、またはコンピューターコードを処理するために適切な他のプロセッサー構成を含み、ここに記載された機能の実行を容易にする。プロセッサー４０４は状況次第でアナログ−デジタル（ＡＤ）変換器のような他の回路およびオーディオプロセッサーを含んでいてもよい。メモリ４０６は、ボイスメールメッセージおよび挨拶メッセージを表すオーディオファイルのようなデジタルデータを記憶するための任意のメモリモジュール、集積回路（ＩＣ）または他の装置である。プロセッサー４０４に接続された入力装置４０８はオーディオとビデオの任意の組み合わせを捕捉する。例示実施形態において、入力装置４０８はマイクロフォンであり、ボイスメールメッセージはオーディオメッセージである。他の適切な入力装置４０８の例はビデオカメラとデジタルカメラを含む。挨拶メッセージおよび他の受信された通信は、オーディオスピーカーのような出力装置４１４を介して再生される。
【００３６】
あて先移動局２０２により開始される試みられた呼がボイスメールサーバー１０４にリダイレクトされたことを示すボイスメールサーバーアクノレジメントメッセージは受信機４１２を介して受信される。プロセッサーは、入力装置４０８により受信された信号を入力信号を表すデジタルファイルに変換し、ボイスメールメッセージを記録する。ファイルは、プロセッサー４０４により発生されたＭＭＳメッセージに含まれる前に少なくとも一時的にメモリ４０４に記憶される。メッセージは送信機４１０により基地局１０８に送られＭＭＳメッセージをＭＭＳ−Ｃ１１６に送る。
【００３７】
図5は、この発明の例示実施形態に従ってＭＭＳのようなパケットデータメッセージングサービスを使用して、ボイスメールサービスを提供する方法のフローチャートである。
【００３８】
この方法は例示実施形態において送信元移動装置２０２において実行され、ＭＭＳシステムに関連して記載される。当業者は、これらの開示に基づいて他のタイプのパケットデータメッセージングシステムに、議論された技術を容易に適用するであろう。
【００３９】
ステップ５０２において、送信元移動局２０２は、あて先移動局２０４のようなあて先装置に電話をしようと試みる。例示実施形態において、送信元移動局２０２は、ＳＩＰプロトコルに従ってセッションを確立することによりあて先装置との間でＶｏＩＰ呼を完了しようと試みる。
【００４０】
ステップ５０４において挨拶メッセージは送信元パーティに対して再生される。例示実施形態において、挨拶メッセージは、ＭＭＳメッセージ内のオーディオファイルとして受信される。状況次第で、ＶｏＩＰセッションまたは回路交換呼が送信元移動局２０２と音声メールサーバー１０４との間に確立され、音声メールサーバー１０４が仮想回路交換接続または回路交換接続を介して挨拶メッセージを再生することを可能にする。
【００４１】
ステップ５０６において、呼が音声メールサーバー１０４にリダイレクトされたことを示す音声メールアクノレジメントが受信される。例示実施形態において、呼が音声メールサーバー１０４にリダイレクトされたことを送信元移動局２０２に通知するために、メッセージはＳＩＰ拡張子を用いて送信される。回路交換ネットワークにおいて、ボイスメールアクノレジメントは、帯域内シグナリング技術または帯域外シグナリング技術を用いて回路交換接続を介して送信されてもよい。
【００４２】
ステップ５０８において、送信元移動局２０２は、ＭＭＳに呼び出されたメッセージを音声メールサーバー１０４に送信し、送信元移動局２０２がＭＭＳを用いてボイスメールメッセージを提出していることを示す。例示実施形態において、ＭＭＳに呼び出されたメッセージはＳＩＰ拡張子を用いて送信される。回路交換ネットワークを利用したシステムにおいて、ＭＭＳに呼び出されたメッセージは、帯域内または帯域外のシグナリングを用いて送信される。メッセージが送信された後で、回路交換呼は終了される。状況次第で、呼は、挨拶メッセージが再生された後で終了されてもよい。図５に示されるステップは、任意の順番で実行されてもよい。例えば、挨拶メッセージは、ＭＭＳで呼び出されたメッセージが送信された後に再生されてもよい。
【００４３】
ステップ５１０で、ボイスメールメッセージが記録されます。例示実施形態において、音声メールメッセージは、マイクロフォン４０８を介して送信元パーティの音声を捕捉することにより送信元移動局２０２内のプロセッサーにより記録されたオーディオメッセージである。しかしながら、ボイスメールメッセージは、オーディオ、ビデオ、テキスト、グラフィックス、または他のマルチメディア情報の任意の組み合わせであってもよい。
【００４４】
例えば、カメラのような他の装置を用いてボイスメールメッセージのための情報を捕捉してもよい。ボイスメールメッセージはデジタルファイルとしてあて先移動局２０２のメモリ４０６に記憶される。
【００４５】
ステップ５１２において、ＭＭＳメッセージは送信元移動局２０２により発生される。あて先移動局２０４のあて先アドレス（ＩＰを送ることができるアドレス）を用いて、送信元移動局２０２は、ＭＭＳメッセージを発生し、ボイスメールメッセージファイルを添付する。例示実施形態において、試みられたＶｏＩＰ呼のために使用されるあて先移動局２０４のＩＰアドレスはあて先アドレスとして使用される。回路交換ネットワークにおいて、あて先アドレスは、メモリ４０６内のローカルデータベース内に記憶されるかまたはボイスメールサーバー１０４から受信される。例えば、あて先アドレスは、送信元パーティによって入力されてもよく、あて先装置２０４、３０２の電話番号に関連していてもよい。ボイスメールサーバー１０４があて先アドレスを供給する場合、あて先アドレスを含むメッセージは、回路交換呼を介して送信されてもよくまたはＭＭＳを用いてあて先移動局２０２に送られてもよい。あて先装置３０２がＭＭＳを予約しない場合、あて先アドレスはあて先装置３０２のボイスメール箱に関連するあて先アドレスである。状況次第で、ボイスメールメッセージファイルは、あて先移動局２０４のＣＯＤＥＣに従ってフォーマットされてもよい。
【００４６】
ステップ５１４において、ボイスメールメッセージファイルを含むＭＭＳメッセージは、あて先装置２０４、３０２に送信される。ＭＭＳメッセージは周知の技術に従ってＭＭＳ−Ｃ  １１６に送信される。
【００４７】
図６は、ボイスメールサーバー１０４において実行されるＭＭＳのようなパケットデータメッセージングシステムを用いてボイスメールサービスを供給する方法のフローチャートである。図６を参照して述べられた方法は、単一装置内で、または分散された機器によって実行されてもよく、ここで述べた例示実施形態によってのみ実行されることに限定されない。当業者は、これらの開示に基づいて、議論された技術を他のタイプのパケットデータメッセージングシステムに容易に適用するであろう。
【００４８】
ステップ６０２において、ボイスメールサーバー１０４は、ボイスメールアクノレジメントメッセージを送信元移動局２０２に送信する。送信元移動局２０２からの試みられた呼がボイスメールサーバーにリダイレクトされた後、ボイスメールサーバー１０４は、呼がリダイレクトされたことを示す。上で説明されたように、ボイスメールアクノレジメントメッセージは、例示実施形態におけるＳＩＰ拡張子を用いて送られる。
【００４９】
ステップ６０４において、ボイスメールサーバー１０４は、あて先装置２０４、３０２に関連する挨拶メッセージを供給する。例示実施形態において、挨拶メッセージは、ＭＭＳメッセージとして送信元移動局２０２に送られる記録されたスピーチを表すオーディオファイルである。送信元移動局２０２の送信元アドレスは、メッセージ内の適切なヘッダーを作成するために使用され、挨拶メッセージは、ＭＭＳメッセージを作成するためにオーディオファイルとして添付される。状況次第で、挨拶メッセージは、ボイスメールサーバー１０４により再生してもよい。
【００５０】
ステップ６０６において、ボイスメールサーバー１０４は、送信元移動局２０２がＭＭＳを用いてボイスメールメッセージを提出するであろうことを示すＭＭＳに呼び出されたメッセージを受信する。例示実施形態において、ＭＭＳに呼び出されたメッセージは、ＳＩＰ拡張子を用いて受信される。上で述べたように、他の技術を用いてＭＭＳに呼び出されたメッセージを伝達してもよい。
【００５１】
ステップ６０８において、ＭＭＳメッセージ内のボイスメールメッセージはボイスメールサーバー１０４において受信される。例示実施形態において、あて先装置が、ＭＭＳを伴わないあて先装置３０２である場合、ステップが実行される。ボイスメールサーバー１０４により送信元移動局２０２に供給されるあて先アドレスは、ＭＭＳメッセージがあて先装置３０２に対応する適切なロケーションに送られることを可能にする。状況次第で、あて先移動局２０４に送られたＭＭＳメッセージはまたボイスメールサーバー１０４に送られてもよい。
【００５２】
ステップ６１０において、ボイスメールメッセージは、ＭＭＳ−Ｃから送られ、ボイスメールサーバー１０４に記憶される。ボイスメールメッセージは、あて先装置３０２のボイスメール箱に対応する位置に記憶される。
【００５３】
それゆえ、例示実施形態は、ＭＭＳを用いてボイスメールサービスを効率的に提供する。
【００５４】
ボイスメールメッセージは、通信システム１００内のリアルタイム呼の期間を最小限にするＭＭＳを使用して、セーブされ検索される。無線ユーザーによってセーブされたボイスメールメッセージは、送信元移動局２０２で記録され、ＭＭＳメッセージとしてＭＭＳ通信リンクを介して送信される。無線ユーザーによって検索されたボイスメールメッセージは、ＭＭＳ通信リンクを介してあて先移動局２０４において受信され、あて先移動局２０４においてメモリに記憶される。ボイスメールメッセージはボイスメールサーバー１０４により維持されるので、ＭＭＳを予約しないか、そうでなければ、ＭＭＳを使用しないボイスメールクライアントは、一般的な技術を用いてボイスメールメッセージを検索することができる。ＭＭＳシステムを採用することは、ボイスメールサービスの無線通信リソースの使用の効率を最大化する。ＭＭＳメッセージの送信により、より大きな度合いの待ち時間を許容することができるので、ボイスメールメッセージは、回路交換ネットワークにおける回路交換呼またはパケット交換ネットワークにおける仮想回路交換呼により要求されるよりも低いＱｏＳ（サービスの質）レベルで効率的に転送することができる。ＶｏＩＰを利用するシステムにおいて、効率は、スペクトル的に効率のよい３Ｇ高速無線リンクを利用することにより観察することができる。配信は、ビジートラフィック期間に通信ネットワーク１０２、１１０の負荷を取り除くようにスケジュールすることができる。さらに、フレームエラーとトランスコーディング(transcoding)の可能性は消去されているので、ＭＭＳを使用したボイスメールメッセージの配信は、配信の期間に不正確とエラーを最小にし、音声品質を最大にする。例えば、従来システムにおいて、ボイスメールメッセージは、無線からＰＣＭに、ＰＣＭから特定の音声メールに、特定の音声メールからＰＣＭに、および提出の期間中にＰＣＭから無線フォーマットに変換することによりボイスメールメッセージは配信されてもよい。また、メッセージ作成期間中の特徴は放送時間を消費せずに実施することができる。さらに、ボイスメールメッセージは、写真、グラフィックスおよびビデオクリップのようなマルチメディアコンポーネントを含んでいてもよい。
【００５５】
明らかに、この発明の他の実施形態と変更は、これらの教示を考慮して当業者に対して容易に生じるであろう。上述の記載は例証であり、限定的なものではない。この発明は上の明細書と添付図面と共に見るとき、そのようなすべての実施形態と変形例を含む以下のクレームによってのみ限定されるべきである。それゆえ、発明の範囲は上述の記載を参照せずに決定されるべきであるが、そのかわり等化物の全範囲とともに添付されたクレームを参照して決定されるべきである。
【図１】
2010081615.tif 000003
【図２】
2010081615.tif 000004
【図３】
2010081615.tif 000005
【図４】
2010081615.tif 000006
【図５】
2010081615.tif 000007
【図６】
2010081615.tif 000008
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
パケットデータメッセージングサービスセンタにおいて実行される方法において、
あて先移動局に向けたボイスメールメッセージを含むパケットデータメッセージを受信することと、
前記あて先移動局がパケットデータメッセージを受信するように構成されているなら、前記ボイスメールメッセージを含む前記パケットデータメッセージをパケット交換ネットワーク(packet switched network)を介して前記あて先移動局に送信することと、
前記パケットデータメッセージはビジートラヒック期間中は(during a busy traffic period)前記あて先移動局に配信されないように前記パケットデータメッセージの配信をスケジュールすることと、
前記あて先移動局がパケットデータメッセージを受信するように構成されていないなら、前記ボイスメールメッセージをボイスメールサーバに送信することと、
を備えた方法。
【請求項２】
前記パケットデータメッセージはマルチメディアメッセージングサービス（ＭＭＳ）メッセージであり、前記パケットデータメッセージングサービスセンターはマルチメディアメッセージングサービスセンター（ＭＭＳ-Ｃ）である、請求項１に記載の方法。
【請求項３】
前記ボイスメールメッセージはオーディオメッセージを含む、請求項１に記載の方法。
【請求項４】
前記ボイスメールメッセージはマルチメディアメッセージである、請求項１に記載の方法。
【請求項５】
前記ボイスメールメッセージは前記パケットデータメッセージ内の添付されたファイルである、請求項１に記載の方法。
【請求項６】
前記ボイスメールメッセージのあて先アドレスは、前記あて先移動局の電子メール（ｅメール）アドレスである、請求項１に記載の方法。
【請求項７】
前記ｅメールアドレスはインターネットルーティング可能アドレス(Internet routable address)である、請求項６に記載の方法。
【請求項８】
前記ボイスメールメッセージのあて先アドレスは、前記あて先移動局の電話番号に関連している、請求項１に記載の方法。
【請求項９】
あて先移動局に向けたボイスメールメッセージを含むパケットデータメッセージを受信するように構成された受信機と、
前記あて先移動局がパケットデータメッセージを受信するように構成されているなら、パケット交換ネットワーク(a packet switched network)を介して前記ボイスメールメッセージを含む前記パケットデータメッセージを前記あて先移動局に送信させ、ビジートラフィック期間中は、前記パケットデータメッセージが前記あて先移動局に配信されないように前記パケットデータメッセージの配信をスケジュールさせ、前記あて先移動局がパケットデータメッセージを受信するように構成されていないなら、前記ボイスメールメッセージをボイスメールサーバに送信させるように構成されたプロセッサと、
前記ボイスメールサーバまたは前記あて先移動局に通信するように構成された送信機と、
を備えたパケットデータメッセージングサービスセンタ。
【請求項１０】
前記パケットデータメッセージはマルチメディアメッセージングサービス（ＭＭＳ）メッセージであり、前記パケットデータメッセージングサービスセンターはマルチメディアメッセージングサービスセンター（ＭＭＳ−Ｃ）である、請求項９に記載のパケットデータメッセージングサービスセンタ。
【請求項１１】
前記ボイスメールメッセージはオーディオ信号を含む、請求項９に記載のパケットデータメッセージングサービスセンタ。
【請求項１２】
前記ボイスメールメッセージはマルチメディアメッセージである、請求項９に記載のパケットデータメッセージングサービスセンタ。
【請求項１３】
前記ボイスメールメッセージのあて先アドレスはあて先移動局の電子メール（ｅメール）アドレスである、請求項９に記載のパケットデータメッセージングサービスセンタ。
【請求項１４】
前記ｅメールアドレスはインターネットルーティング可能アドレスである、請求項１３に記載のパケットデータメッセージングサービスセンタ。
【請求項１５】
あて先移動局に向けたボイスメールメッセージを含むパケットデータメッセージを受信する手段と、
前記あて先移動局がパケットデータメッセージを受信するように構成されているなら、パケット交換ネットワーク(a packet switched network)を介して前記ボイスメールメッセージを含む前記パケットデータメッセージを前記あて先移動局に送信する手段と、
ビジートラフィック期間中は、前記パケットデータメッセージが前記あて先移動局に配信されないように前記パケットデータメッセージの配信をスケジュールする手段と、
前記あて先移動局がパケットデータメッセージを受信するように構成されていないなら、前記ボイスメールメッセージボイスメールサーバに送信する手段と、
を備えた、パケットデータメッセージングサービスセンタ。
【請求項１６】
パケットデータメッセージングサービスセンタ内のプロセッサに、
あて先移動局に向けたボイスメールメッセージを含むパケットデータメッセージを受信させ、
前記あて先移動局がパケットデータメッセージを受信するように構成されているなら、パケット交換ネットワーク(a packet switched network)を介して前記ボイスメールメッセージを含む前記パケットデータメッセージを前記あて先移動局に送信させ、
ビジートラフィック期間中は前記パケットデータメッセージが前記あて先移動局に配信されないように前記パケットデータメッセージの配信をスケジュールさせ、
前記あて先移動局がパケットデータメッセージを受信するように構成されていないなら、前記ボイスメールメッセージをボイスメールサーバに送信させ、
るための命令を有するコンピュータ読み取り可能記憶媒体。
【請求項１７】
前記あて先移動局がパケットデータメッセージを受信するように構成されているかどうかを決定することをさらに備えた、請求項１の方法。
【請求項１８】
前記ボイスメールメッセージを含む前記パケットデータメッセージは、前記あて先装置への回路交換呼(circuit switched call)または仮想回路交換呼(virtual circuit switched call)に必要とされるよりも低いサービスの質（ＱｏＳ）レベルで前記あて先移動局に送信される、請求項１の方法。
【外国語明細書】
2010081615000001.pdf